(57)【要約】【課題】同一容量の計量作業を繰り返し行うのに好適であって、容量の増減調整が容易な一体型の計量容器を提供する。【解決手段】有底円筒形状の容器本体２と、容器本体２の開口部を下向きにして容器本体２の外側に取り付けられ、上端の開口部５が水平な円筒形状の外筒部３と、容器本体２の外周面及び外筒部３の内周面に、外筒部３が連続的又は段階的に上下方向に移動できるように設けられた内容量調整手段６と、容器本体２と外筒部３との上下方向へのずれ巾から、外筒部３の開口部で摺り切り状態にある内容物の容量が読み取られるようにした計量手段９と、一体となっている容器本体２及び外筒部３が上下反転されて、容器本体２に投入された内容物の水平状態にあるときの界面位置から、内容物の容量が読み取られるようにした目盛４４とを備える。【選択図】図４
2011080807.tif 000002
【特許請求の範囲】
【請求項１】
有底円筒形状の容器本体と、
前記容器本体の開口部を下向きにして前記容器本体の外側に取り付けられ、上端の開口部が水平な円筒形状の外筒部と、
前記容器本体の外周面及び前記外筒部の内周面に、前記外筒部が連続的又は段階的に上下方向に移動できるように設けられた内容量調整手段と、
前記容器本体と前記外筒部との上下方向へのずれ巾から、前記外筒部の開口部で摺り切り状態にある内容物の容量が読み取られるようにした第１の計量手段と、
一体となっている前記容器本体及び前記外筒部が上下反転されて、前記容器本体に投入された内容物の水平状態にあるときの界面位置から、前記内容物の容量が読み取られるようにした第２の計量手段と
を備えることを特徴とする計量容器。
【請求項２】
有底円筒形状の容器本体と、
前記容器本体の開口部を上向きにして前記容器本体の外側に取り付けられ、上端の開口部が水平な円筒形状の外筒部と、
前記容器本体の外周面及び前記外筒部の内周面に、前記外筒部が連続的又は段階的に上下方向に移動できるように設けられた内容量調整手段と、
前記容器本体と前記外筒部との上下方向へのずれ巾から、前記外筒部の開口部で摺り切り状態にある内容物の容量が読み取られるようにした計量手段と
を備えることを特徴とする計量容器。
【請求項３】
前記容器本体の上端の開口部に、該開口部を閉じる着脱可能な底板を備えることを特徴とする請求項２に記載の計量容器。
【請求項４】
前記内容量調整手段は、
前記外筒部の内周面に設けられたメネジと、
前記容器本体の外周面に、前記メネジに係合するように設けられたオネジとからなり、
前記外筒部をネジ巻き式に上下方向へずらすことにより、その上下方向へのずれ巾に応じた分の内容量が連続的に増減するようにしたことを特徴とする請求項１乃至請求項３のうち何れかに記載の計量容器。
【請求項５】
前記内容量調整手段は、
前記外筒部の内周面に、円周方向に形成された突部（又は溝部）と、
前記容器本体の外周面に、前記突部（又は前記溝部）に嵌合し、円周方向に形成され、上下方向に複数設けられた溝部（又は突部）とからなり、
前記外筒部を上下方向へずらして、前記突部（又は前記溝部）を前記溝部（又は前記突部）に嵌合させて固定することにより、その上下方向へのずれ巾に応じた分の内容量が段階的に増減するようにしたことを特徴とする請求項１乃至請求項３のうち何れかに記載の計量容器。
【請求項６】
前記内容量調整手段は、
前記外筒部の内周面に形成された突部と、
前記容器本体の外周面に形成され、前記突部が係止されずに前記外筒部を上下方向へずらすことが可能な平滑部と、
前記容器本体の外周面に、円周方向に形成され、前記平滑部から遠ざかる方向に細くなるように突起状に複数設けられた溝部とからなり、
前記突部が前記平滑部に位置するところで前記外筒部を上下方向へずらして、前記溝部方向に前記外筒部を回転させて、前記突部を前記溝部に嵌合させて固定することにより、その上下方向へのずれ巾に応じた分の内容量が段階的に増減するようにしたことを特徴とする請求項１乃至請求項３のうち何れかに記載の計量容器。
【請求項７】
前記容器本体の外周縁部にパッキンが設けられ、
前記容器本体と前記外筒部との隙間に内容物が漏れないようにしたことを特徴とする請求項１乃至請求項６のうち何れか１つに記載の計量容器。
【発明の詳細な説明】
【技術分野】
【０００１】
本発明は、同一容量の計量作業を繰り返し行うのに好適であって、容量の増減調整が容易な計量容器に関する。
【背景技術】
【０００２】
従来の計量容器１０１は、図８に示すように、有底円筒形状の容器本体１０２からなり、目盛１０３が付されている。ユーザは、計量容器１０１に多種多様の食材等を入れて、水平状態にある内容物の界面位置の目盛１０３を読み取ることにより、内容物の容量を計量することができる。
【０００３】
この従来の計量容器１０１は、同一容量の食材等を繰り返し計量する場合、食材等の容量を増減して狙いの目盛１０３に合わせる操作が面倒であり、特に、同一容量の計量作業を繰り返し行う機会の多い飲食業等に従事する人や老眼等で視力の弱い人にとっては負担が大きいという問題があった。
【０００４】
これに対して、特許文献１に示すように、容器の底板の高さを調節して容器自体の容量を増減し、内容物を開口部で摺り切ることによって、同一容量の内容物の計量作業を行う技術が提案されている。
【０００５】
また、計量スプーンのように、容量の異なる容器を複数用意しておき、所望の容量の容器を選択し、その容器に、開口部すれすれに食材等を入れることにより、計量作業を繰り返し行うことができる計量容器は知られている。
【先行技術文献】
【特許文献】
【０００６】
【特許文献１】特開平８−１１４４８３号公報
【発明の概要】
【発明が解決しようとする課題】
【０００７】
しかしながら、特許文献１に示す技術は、同一容量の内容物の計量作業を行うことのみに重きが置かれており、一旦、付属の底板を取り付けて容量決めをした後に容器の容量を変更するには、底板を取り外して別の底板を取り付けなくてはならず、容器の構造上その取り外しが困難であること、及び、付属の底板を紛失してしまうと容器の容量を変更できないという問題があった。
【０００８】
また、容量の異なる容器を複数用意しておくタイプの計量容器は、僅かな容量の増減調整を行う際には、その僅かな容量の増減に対応した容器を用意する必要があり、僅かな容量の増減調整には不向きであるという問題や、複数の容器が一体になっていないので、容器を紛失しやすく、収納するのに場所を取るという問題があった。
【０００９】
そこで、本発明が解決しようとする課題は、同一容量の計量作業を繰り返し行うのに好適であって、容量の増減調整が容易な一体型の計量容器を提供することである。
【課題を解決するための手段】
【００１０】
この発明は、前記課題を解決するためになされたもので、請求項１に記載の計量容器は、有底円筒形状の容器本体と、前記容器本体の開口部を下向きにして前記容器本体の外側に取り付けられ、上端の開口部が水平な円筒形状の外筒部と、前記容器本体の外周面及び前記外筒部の内周面に、前記外筒部が連続的又は段階的に上下方向に移動できるように設けられた内容量調整手段と、前記容器本体と前記外筒部との上下方向へのずれ巾から、前記外筒部の開口部で摺り切り状態にある内容物の容量が読み取られるようにした第１の計量手段と、一体となっている前記容器本体及び前記外筒部が上下反転されて、前記容器本体に投入された内容物の水平状態にあるときの界面位置から、前記内容物の容量が読み取られるようにした第２の計量手段とを備えることを特徴としている。
【００１１】
請求項１に記載の計量容器によれば、前記外筒部が連続的又は段階的に上下方向に移動できる内容量調整手段、及び、前記容器本体と前記外筒部との上下方向へのずれ巾から、容器の容量を読み取ることができる第１の計量手段が設けられているので、ユーザは、所望の容量に調整した後、容器内に食材等を入れて開口部で摺り切ることにより、或いは、開口部すれすれに食材等を入れることにより、同一容量の計量作業を繰り返し行うことができる。この際、内容物の容量を増減して狙いの目盛に合わせる操作や、内容物の界面位置の目盛を読み取る必要がないので、同一容量の計量作業を迅速且つ正確に行うことができる。
【００１２】
また、請求項１に記載の計量容器によれば、一体となっている前記容器本体及び前記外筒部が上下反転されて、前記容器本体に投入された内容物の水平状態にあるときの界面位置から、前記内容物の容量が読み取られるようにした第２の計量手段、すなわち、一般的な計量容器の目盛が設けられているので、ユーザは、前記外筒部を最下部まで移動させて、容器を上下反転させた後、計量容器の通常の使い方で計量することもできる。これにより、前記容器本体の容量よりも少ない容量の食材等に対して、内容物を摺り切る使い方と通常の使い方とを選択して計量することが可能なハイブリッド型の計量容器を提供することができる。
【００１３】
また、請求項１に記載の計量容器によれば、前記外筒部が、前記容器本体の外側に取り付けられ、前記外筒部と前記容器本体とが一体となっているので、一部を紛失することがなく、収納するのに場所を取ることもない。
【００１４】
請求項２に記載の計量容器は、有底円筒形状の容器本体と、前記容器本体の開口部を上向きにして前記容器本体の外側に取り付けられ、上端の開口部が水平な円筒形状の外筒部と、前記容器本体の外周面及び前記外筒部の内周面に、前記外筒部が連続的又は段階的に上下方向に移動できるように設けられた内容量調整手段と、前記容器本体と前記外筒部との上下方向へのずれ巾から、前記外筒部の開口部で摺り切り状態にある内容物の容量が読み取られるようにした計量手段とを備えることを特徴としている。
【００１５】
請求項２に記載の計量容器によれば、前記外筒部が連続的又は段階的に上下方向に移動できる内容量調整手段、及び、前記容器本体と前記外筒部との上下方向へのずれ巾から、容器の容量を読み取ることができる計量手段が設けられているので、ユーザは、所望の容量に調整した後、容器内に食材等を入れて開口部で摺り切ることにより、或いは、開口部すれすれに食材等を入れることにより、同一容量の計量作業を繰り返し行うことができる。この際、内容物の容量を増減して狙いの目盛に合わせる操作や、内容物の界面位置の目盛を読み取る必要がないので、同一容量の計量作業を迅速且つ正確に行うことができる。
【００１６】
また、請求項２に記載の計量容器によれば、前記容器本体及び／又は前記外筒部の外周面に、一般的な計量容器の目盛を付すことによって、計量容器の通常の使い方で計量することもできる。特に、前記容器本体の容量よりも少ない容量の食材等に対しては、内容物を摺り切ることができないので、前記容器本体に付された目盛が有用となる。これにより、前記容器本体の容量よりも多い容量の食材等に対して内容物を摺り切る使い方と通常の使い方とを選択して計量することが可能なハイブリッド型の計量容器を提供することができる。
【００１７】
また、請求項２に記載の計量容器によれば、前記外筒部が、前記容器本体の外側に取り付けられ、前記外筒部と前記容器本体とが一体となっているので、一部を紛失することがなく、収納するのに場所を取ることもない。
【００１８】
請求項３に記載の計量容器は、請求項２において、前記容器本体の上端の開口部に、該開口部を閉じる着脱可能な底板を備えることを特徴としている。
【００１９】
請求項３に記載の計量容器によれば、前記容器本体の上端の開口部が着脱自在な底板によって閉じられるので、前記容器本体の容量よりも少ない容量の食材等に対して、ユーザは、所望の容量に調整した後、容器内に食材等を入れて開口部で摺り切ることにより、同一容量の計量作業を繰り返し行うことができる。すなわち、請求項３に記載の計量容器によれば、容器本体の容量よりも少ない容量の食材等に対して、内容物を摺り切る使い方に特化した計量容器を提供することができる。
【００２０】
また、請求項３に記載の計量容器によれば、前記底板は、前記容器本体の上端の開口部に着脱自在であるので、ユーザは、請求項２に記載の計量容器の使い方と、容器本体の容量よりも少ない容量の食材等に対して、内容物を摺り切る使い方とを選択して計量することもできる。
【００２１】
ここで、前記内容量調整手段は、前記外筒部の内周面に設けられたメネジと、前記容器本体の外周面に、前記メネジに係合するように設けられたオネジとからなり、前記外筒部をネジ巻き式に上下方向へずらすことにより、その上下方向へのずれ巾に応じた分の内容量が連続的に増減するようにしたものであってもよい（請求項４に記載の計量容器）。これにより、その上下方向へのずれ巾に応じた分の内容量が連続的に増減するので、容易に、僅かな容量の増減調整を行うことができる。
【００２２】
また、前記内容量調整手段は、前記外筒部の内周面に、円周方向に形成された突部（又は溝部）と、前記容器本体の外周面に、前記突部（又は前記溝部）に嵌合し、円周方向に形成され、上下方向に複数設けられた溝部（又は突部）とからなり、前記外筒部を上下方向へずらして、前記突部（又は前記溝部）を前記溝部（又は前記突部）に嵌合させて固定することにより、その上下方向へのずれ巾に応じた分の内容量が段階的に増減するようにしたものであってもよい（請求項５に記載の計量容器）。これにより、その上下方向へのずれ巾に応じた分の内容量が段階的に増減するので、容易に、容量の増減調整を行うことができる。
【００２３】
また、前記内容量調整手段は、前記外筒部の内周面に形成された突部と、前記容器本体の外周面に形成され、前記突部が係止されずに前記外筒部を上下方向へずらすことが可能な平滑部と、前記容器本体の外周面に、円周方向に形成され、前記平滑部から遠ざかる方向に細くなるように突起状に複数設けられた溝部とからなり、前記突部が前記平滑部に位置するところで前記外筒部を上下方向へずらして、前記溝部方向に前記外筒部を回転させて、前記突部を前記溝部に嵌合させて固定することにより、その上下方向へのずれ巾に応じた分の内容量が段階的に増減するようにしたものであってもよい（請求項６に記載の計量容器）。これにより、その上下方向へのずれ巾に応じた分の内容量が段階的に増減するので、容易に、容量の増減調整を行うことができる。
【００２４】
さらに、前記容器本体の外周縁部にパッキンが設けられ、前記容器本体と前記外筒部との隙間に内容物が漏れないようにしたものであってもよい（請求項７に記載の計量容器）。これにより、前記容器本体と前記外筒部との隙間への内容物の侵入を阻止できるので、容量の増減調整をスムースに行うことができる。
【発明の効果】
【００２５】
本発明によれば、同一容量の計量作業を繰り返し行うのに好適であって、容量の増減調整が容易な一体型の計量容器を提供することができる。
【図面の簡単な説明】
【００２６】
【図１】本発明に係る計量容器の実施例１の構成の説明に供する図であって、（Ａ）外筒部を最下部まで移動させた時の状態、（Ｂ）外筒部を最上部まで移動させた時の状態を示す図である。
【図２】本発明に係る計量容器の実施例２の構成の説明に供する図であって、（Ａ）外筒部を最下部まで移動させた時の状態、（Ｂ）外筒部を最上部まで移動させた時の状態を示す図である。
【図３】本発明に係る計量容器の実施例１又は実施例２のパッキンの説明に供する図であって、（Ａ）断面視略Ｚ字状のパッキンの実施例、（Ｂ）断面視略Ｔ字状のパッキンの実施例を示している。
【図４】本発明に係る計量容器の実施例３の構成の説明に供する図であって、（Ａ）外筒部を最下部まで移動させた時の状態、（Ｂ）外筒部を最上部まで移動させた時の状態を示す図である。
【図５】本発明に係る計量容器の実施例３の構成及び使い方の説明に供する図である。
【図６】本発明に係る計量容器の実施例４の構成の説明に供する図であって、外筒部を最上部まで移動させた時の状態を示す図である。
【図７】本発明に係る計量容器の実施例５の構成の説明に供する図であって、外筒部を最上部まで移動させた時の状態を示す図である。
【図８】従来の計量容器の構成の説明に供する図である。
【発明を実施するための形態】
【００２７】
以下、本発明を適用した具体的な実施の形態について、図面を参照しながら詳細に説明する。本発明は、例えば、図１，図２，図４，図６，図７に示すような構成の計量容器１，２１，４１，６１，８１に適用される。
【実施例１】
【００２８】
先ず、図１及び図３を参照して、計量容器１の構成について説明する。この計量容器１は、図１に示すように、有底円筒形状の容器本体２と、容器本体２の開口部を上向きにして容器本体２の外側に取り付けられた円筒形状の外筒部３とを主要部として備えている。このように、外筒部３と容器本体２とが一体となっていることで、一部を紛失することがなく、収納するのに場所を取らないという利点がある。
【００２９】
容器本体２及び外筒部３は共に、例えば、透明又は半透明のポリプロピレン等の樹脂材料からなり、その材厚は約１ｍｍである。容器本体２の内容量は、例えば、５００ｃｃである。計量容器１の容量は、例えば、外筒部３のずれ巾が最小時には５００ｃｃ、外筒部３を最大伸長させると８５０ｃｃとなる。
【００３０】
外筒部３の外周面には、５００ｃｃ未満の内容物の計量ができるように、容器本体２と外筒部３とのずれ巾が最小時の計量容器１の容量を示す目盛４が設けられている。この目盛４は、外筒部３が透明又は半透明であるので、図１（Ｂ）に示すように、容器本体２の外周面に設けてもよい。容器本体２の容量よりも少ない容量の食材等に対しては、内容物を摺り切ることができないので、容器本体２の外周面に付された目盛４が有用となる。
【００３１】
また、外筒部３の外周面には、図１（Ｂ）に示すように、外筒部３を最上部まで移動させた時の状態で、計量容器の通常の使い方で、５００ｃｃ以上の内容物の計量ができるように、容器本体２から続く一般的な計量容器の目盛１９が設けられている。
【００３２】
外筒部３の上端の開口部５は、計量容器１が普通に置かれた状態で、水平になっており、内容物を摺り切ることができるようになっている。ここで、内容物は、醤油等の液体，炊いたご飯やお米等の粒状物，コーヒー豆を碾いたもの等の粉状物，ジャム等のゲル状物でもよく、特に限定されない。
【００３３】
そして、容器本体２の外周面及び外筒部３の内周面に、外筒部３が連続的に上下方向に移動できるように内容量調整手段６が設けられている。
【００３４】
内容量調整手段６は、外筒部３の内周面に設けられたメネジ７と、容器本体２の外周面に、メネジ７に係合するように設けられたオネジ８とからなり、外筒部３をネジ巻き式に上下方向へずらすことにより、その上下方向へのずれ巾に応じた分の内容量が連続的に増減するように構成されている。これにより、容易に、僅かな容量の増減調整を行うことができる。
【００３５】
また、計量容器１は、容器本体２と外筒部３との上下方向へのずれ巾から、外筒部３の開口部５で摺り切り状態にある内容物の容量が読み取られるようにした計量手段９を備えている。ここで、摺り切り状態にある内容物とは、開口部５で摺り切った状態の内容物に限らず、開口部５にすれすれに入れた状態や開口部５の近傍の円周方向に設けた基準線１０（図示省略）まで入れた状態の内容物も含む意である。
【００３６】
計量手段９は、図２に示すように、外筒部３の外周面には、容器本体２と外筒部３との上下方向へのずれ巾を反映した計量容器１の容量を示す目盛１１が設けられており、容器本体２の縁端部１２の位置にある目盛１１を読み取ると、摺り切り状態にある内容物の容量が分かるようになっている。
【００３７】
この目盛１１は、容器本体２の外周面の円周方向に基準線１３（図示省略）を設け、基準線１３の位置にある目盛１１を読み取ると、摺り切り状態にある内容物の容量が分かるようにしてもよい。
【００３８】
さらに、計量容器１は、図３に示すように、容器本体２の外周縁部１４にパッキン１５を備えている。これにより、容器本体２と外筒部３との隙間への内容物の侵入を阻止できるので、容量の増減調整をスムースに行うことができる。
【００３９】
パッキン１５は、例えばゴムからなり、図３（Ａ），（Ｂ）に示すように、形状にはバリエーションがある。図３（Ａ）の実施例では、パッキン１５は、断面視略Ｚ字状のリングの形状をしており、パッキン１５の下部に位置する嵌合部１６が、容器本体２の外周縁部１４の円周方向に設けられた溝１７に嵌め込まれている。また、図３（Ｂ）の実施例では、パッキン１５は、断面視略Ｔ字状のリングの形状をしており、パッキン１５の中央部に位置する嵌合部１８が、容器本体２の外周縁部１４の円周方向に設けられた溝１７に嵌め込まれている。
【００４０】
パッキン１５の上端部は、図３（Ａ），（Ｂ）に示すように、容器本体２の縁端部１２と段差やずれがなく、水平になっており、内容物が、引っ掛かって付着しないようになっている。
【００４１】
次に、前記構成からなる計量容器１の使い方について説明する。
【００４２】
容器本体の容量よりも食材等の容量が少ない（例えば５００ｃｃ未満）場合、計量容器１は、容器本体２と外筒部３とのずれ巾が最小となるように、外筒部３をネジ巻き式に円周方向に回転させて一番下まで下げた状態にして使用する。なお、目盛４が、容器本体２の外周面に設けられている場合には、外筒部３を一番下まで下げなくても構わない。
【００４３】
容器本体の容量よりも食材等の容量が少ない場合、ユーザは、計量容器１に食材等を入れて、水平状態にある内容物の界面位置の目盛４を読み取ることにより、内容物の容量を計量することができる。
【００４４】
容器本体の容量よりも食材等の容量が多い（例えば５００ｃｃ以上８５０ｃｃ未満）場合、通常は、外筒部３をネジ巻き式に円周方向に回転させて、容器本体２の縁端部１２の位置にある目盛１１を読み取ることによって、微調整しながら計量容器１を所望の容量に設定する。
【００４５】
ユーザは、計量容器１を所望の容量に設定した後、容器内に食材等を入れて開口部５で摺り切ることにより、或いは、開口部５すれすれに食材等を入れることにより、同一容量の計量作業を繰り返し行うことができる。この際、内容物の容量を増減して狙いの目盛に合わせる操作や、内容物の界面位置の目盛を読み取る必要がないので、同一容量の計量作業を迅速且つ正確に行うことができる。
【００４６】
また、容器本体の容量よりも食材等の容量が多い場合、容器本体２及び／又は外筒部３の外周面に、一般的な計量容器の目盛が付されており、内容物を摺り切る使い方と通常の使い方とを選択して計量することができるので、外筒部３を最上部まで移動させて、食材等を容器内に入れた後、目盛１９を読み取ることによって、計量してもよい。
【００４７】
また、容器本体の容量よりも食材等の容量が多い場合の他の使用形態として、外筒部３を最大伸長させた後、容器内に食材等を入れ、内容物の界面位置が外筒部３に設けた基準線１０（図示省略）の位置と重なるように外筒部３を下げていき、完全に重なったときの目盛１１を読み取ることによって、内容物を計量するという使い方もできる。
【００４８】
以上のように、計量容器１によれば、容器本体２の容量よりも多い容量の食材等に対して内容物を摺り切る使い方と通常の使い方とを適宜選択して計量することが可能なハイブリッド型の計量容器を提供することができる。
【実施例２】
【００４９】
続いて、図２を参照して、本発明に係る実施例２の計量容器２１の構成について説明する。この計量容器２１と実施例１の計量容器１との構成上の差異は、計量容器２１に底板３２が着脱自在に設けられていることにあるので、この底板３２が着脱自在に設けられていることによる差異を詳細に説明し、実施例１と同様の構成には同一符号を付して説明を省略する。
【００５０】
計量容器２１は、計量容器１の構成に加えて、容器本体２の上端の開口部を閉じる底板３２を備えている。すなわち、底板３２を取り付けた計量容器２１は円柱形状である。
【００５１】
底板３２は、容器本体２及び外筒部３と同じ材料の円盤状の板からなり、例えば、透明又は半透明のポリプロピレン等の樹脂材料からなる。その材厚は約１ｍｍで、直径は容器本体２の内径よりも少し大きくなっている。
【００５２】
容器本体２の内側縁部には、外側に向けて薄くすることにより形成される段状の嵌合部２０（図示省略）が設けられている。底板３２には、撮み部３３（図示省略）が設けられており、ユーザは、その撮み部３３を掴んで、底板３２を嵌合部２０に着脱できるようになっている。
【００５３】
計量容器２１は、目盛１１が、図２に示すように、外筒部３の最上部を０として下に昇順で付されており、容器本体２の容量よりも少ない容量の食材等に対して、内容物を摺り切る使い方で計量することができる。
【００５４】
次に、前記構成からなる、容器本体２の容量よりも少ない容量の食材等に対して、内容物を摺り切る計量容器２１の使い方について説明する。
【００５５】
先ず、ユーザは、撮み部３３を掴んで、底板３２を嵌合部２０に取り付け、外筒部３をネジ巻き式に円周方向に回転させて、容器本体２の縁端部１２の位置にある目盛１１を読み取ることによって、微調整しながら計量容器２１を所望の容量に設定する。
【００５６】
そして、ユーザは、計量容器２１を所望の容量に設定した後、容器内に食材等を入れて開口部５で摺り切ることにより、或いは、開口部５すれすれに食材等を入れることにより、同一容量の計量作業を繰り返し行うことができる。この際、内容物の容量を増減して狙いの目盛に合わせる操作や、内容物の界面位置の目盛を読み取る必要がないので、同一容量の計量作業を迅速且つ正確に行うことができる。
【００５７】
容器本体２の容量よりも多い容量の食材等に対しては、ユーザは、撮み部３３を掴んで、底板３２を嵌合部２０から取り外すことで、前述した実施例１の計量容器１の使い方で計量することができる。
【００５８】
以上のように、計量容器２１によれば、容器本体２の上端の開口部が着脱自在な底板によって閉じられるので、容器本体２の容量よりも少ない容量の食材等に対して、ユーザは、所望の容量に調整した後、容器内に食材等を入れて開口部で摺り切ることにより、同一容量の計量作業を繰り返し行うことができる。すなわち、計量容器２１によれば、容器本体２の容量よりも少ない容量の食材等に対して、内容物を摺り切る使い方に特化した計量容器を提供することができる。
【００５９】
また、計量容器２１によれば、底板３２は、容器本体２の上端の開口部に着脱自在であるので、ユーザは、実施例１の計量容器１の使い方と、容器本体２の容量よりも少ない容量の食材等に対して、内容物を摺り切る使い方とを選択して計量することもできる。
【実施例３】
【００６０】
次に、図４及び図５を参照して、計量容器４１の構成について説明する。この計量容器４１は、有底円筒形状の容器本体２と、容器本体２の開口部を下向きにして容器本体２の外側に取り付けられ、上端の開口部５が水平な円筒形状の外筒部３と、容器本体２の外周面及び外筒部３の内周面に、外筒部３が連続的又は段階的に上下方向に移動できるように設けられた内容量調整手段６と、容器本体２と外筒部３との上下方向へのずれ巾から、外筒部３の開口部５で摺り切り状態にある内容物の容量が読み取られるようにした計量手段９（第１の計量手段）と、一体となっている容器本体２及び外筒部３が上下反転されて、容器本体２に投入された内容物の水平状態にあるときの界面位置から、前記内容物の容量が読み取られるようにした目盛４４（第２の計量手段）とを備えている。
【００６１】
この計量容器４１と実施例１の計量容器１との構成上の差異は、計量容器４１は、容器本体２の開口部を下向きにして容器本体２の外側に外筒部３が取り付けられていること、及び、一体となっている容器本体２及び外筒部３が上下反転されて、容器本体２に投入された内容物の水平状態にあるときの界面位置から、前記内容物の容量が読み取られるようにした目盛４４が設けられていることにある。而して、実施例１と同様の構成には同一符号を付して説明を省略する。
【００６２】
計量手段９は、図４に示すように、外筒部３の外周面には、容器本体２と外筒部３との上下方向へのずれ巾を反映した計量容器４１の容量を示す目盛１１が設けられており、容器本体２の底板の位置にある目盛１１を読み取ると、摺り切り状態にある内容物の容量が分かるようになっている。
【００６３】
計量容器４１は、目盛４４が、図５に示すように、上下反転した状態において、容器本体２に、容器本体２の最下部を０として上に昇順で付されており、容器本体２に投入された内容物の水平状態にあるときの界面位置から、前記内容物の容量が読み取られるようになっている。すなわち、計量容器４１は、上下反転すると、容器本体２の開口部が上向きになるので、通常の使い方で計量することができるようになる。
【００６４】
次に、前記構成からなる計量容器４１の使い方について説明する。
【００６５】
内容物を摺り切る使い方で計量する場合、ユーザは、外筒部３をネジ巻き式に円周方向に回転させて、容器本体２の底板（又は基準線）の位置にある目盛１１を読み取ることによって、微調整しながら計量容器４１を所望の容量に設定する。
【００６６】
そして、ユーザは、計量容器４１を所望の容量に設定した後、容器内に食材等を入れて開口部５で摺り切ることにより、或いは、開口部５すれすれに食材等を入れることにより、同一容量の計量作業を繰り返し行うことができる。この際、内容物の容量を増減して狙いの目盛に合わせる操作や、内容物の界面位置の目盛を読み取る必要がないので、同一容量の計量作業を迅速且つ正確に行うことができる。
【００６７】
通常の使い方で計量する場合、ユーザは、計量容器４１を上下反転させて、容器本体２の開口部を上向きにする。
【００６８】
そして、ユーザは、食材等を容器本体２に投入し、内容物が水平状態にあるときの界面位置から、前記内容物の容量を読み取ることができる。
【００６９】
以上のように、計量容器４１によれば、一体となっている容器本体２及び外筒部３が上下反転されて、容器本体２に投入された内容物の水平状態にあるときの界面位置から、前記内容物の容量が読み取られるようにした目盛４４が設けられているので、ユーザは、外筒部３を最下部まで移動させて、容器を上下反転させた後、計量容器の通常の使い方で計量することもできる。これにより、容器本体２の容量よりも少ない容量の食材等に対して、内容物を摺り切る使い方と通常の使い方とを選択して計量することが可能なハイブリッド型の計量容器を提供することができる。
【実施例４】
【００７０】
次に、図６を参照して、本発明に係る実施例４の計量容器６１の構成について説明する。この計量容器６１と実施例１，２，３の計量容器１，２１，４１との構成上の差異は、内容量調整手段６６にあるので、この内容量調整手段６６を詳細に説明し、実施例１又は実施例２と同様の構成には同一符号を付して説明を省略する。なお、図６は、計量容器１の内容量調整手段６を内容量調整手段６６としたものを計量容器６１として示しているが、計量容器６１は、計量容器２１，４１の内容量調整手段６を内容量調整手段６６としたものであってもよい。
【００７１】
内容量調整手段６６は、外筒部３の内周面に、円周方向に形成された突部６７（又は溝部６８）と、容器本体２の外周面に、突部６７（又は溝部６８）に嵌合し、円周方向に形成され、上下方向に複数設けられた溝部６９（又は突部７０）とからなる。
【００７２】
そして、外筒部３を上下方向へずらして、突部６７（又は溝部６８）を溝部６９（又は突部７０）に嵌合させて固定することにより、その上下方向へのずれ巾に応じた分の内容量が段階的に増減するように構成されている。これにより、その上下方向へのずれ巾に応じた分の内容量が段階的に増減するので、容易に、容量の増減調整を行うことができる。
【００７３】
ユーザは、外筒部３を上下方向に手でスライドさせることにより、外筒部３を上下方向に移動させることができる。
【実施例５】
【００７４】
最後に、図７を参照して、本発明に係る実施例５の計量容器８１の構成について説明する。この計量容器８１と実施例１，２，３の計量容器１，２１，４１との構成上の差異は、内容量調整手段８６にあるので、この内容量調整手段８６を詳細に説明し、実施例１又は実施例２と同様の構成には同一符号を付して説明を省略する。なお、図７は、計量容器１の内容量調整手段６を内容量調整手段８６としたものを計量容器８１として示しているが、計量容器８１は、計量容器２１，４１の内容量調整手段６を内容量調整手段８６としたものであってもよい。
【００７５】
内容量調整手段８６は、外筒部３の内周面に形成された突部８７と、容器本体２の外周面に形成され、突部８７が係止されずに外筒部３を上下方向へずらすことが可能な平滑部８８と、容器本体２の外周面に、円周方向に形成され、平滑部８８から遠ざかる方向に細くなるように突起状に複数設けられた溝部８９とからなる。
【００７６】
そして、突部８７が平滑部８８に位置するところで外筒部３を上下方向へずらして、溝部方向に外筒部３を回転させて、突部８７を溝部８９に嵌合させて固定することにより、その上下方向へのずれ巾に応じた分の内容量が段階的に増減するように構成されている。これにより、その上下方向へのずれ巾に応じた分の内容量が段階的に増減するので、容易に、容量の増減調整を行うことができる。
【００７７】
ユーザは、突部８７が平滑部８８の位置に来るように、外筒部３を円周方向に回転させて、外筒部３を上下方向へスライドさせる。そして、溝部方向に外筒部３を回転させて、突部８７を溝部８９に嵌合させて固定することにより、外筒部３を上下方向に移動させることができる。
【００７８】
なお、本発明は前述した実施の形態のみに限定されるものではなく、本発明の要旨を逸脱しない範囲において種々の変更が可能であることは勿論である。
【符号の説明】
【００７９】
１，２１，４１，６１，８１  計量容器、  ２  容器本体、  ３  外筒部、  ４  目盛、  ５  開口部、  ６  内容量調整手段、  ７  メネジ、  ８  オネジ、  ９  計量手段、  １０  基準線、  １１  目盛、  １２  縁端部、  １３  基準線、  １４  外周縁部、  １５  パッキン、  １６  嵌合部、  １７  溝、  １８  嵌合部、  １９  目盛、  ３２  底板、  ４４  目盛、  ６６  内容量調整手段、  ６７  突部、  ６８  溝部、  ６９  溝部、  ７０  突部、  ８６  内容量調整手段、  ８７  突部、  ８８  平滑部、  ８９  溝部、  １０１  計量容器、  １０２  容器本体、  １０３  目盛
【図１】
2011080807.tif 000003
【図２】
2011080807.tif 000004
【図３】
2011080807.tif 000005
【図４】
2011080807.tif 000006
【図５】
2011080807.tif 000007
【図６】
2011080807.tif 000008
【図７】
2011080807.tif 000009
【図８】
2011080807.tif 000010